(57)【要約】【課題】  植物に対して十分な育成環境を保持しつつ、軽量化が図られた緑化装置を提供する。【解決手段】  車庫に取り付けられた状態で植物Ｐを育成する緑化装置１０であって、植物Ｐが植え付けられる３つの成型培地１４と、車庫の支柱Ｓに水平方向に沿うように取り付けられる管状容器１１であって、所定間隔で並んだ３つの成型培地１４を下方から支持する支持部１２と、隣り合う成型培地１４の隙間Ｇを上方から覆い隙間Ｇに影を形成する蓋部１６と、隣り合う前記複数の成型培地１４の間の隙間Ｇを側方から覆い隙間Ｇに影を形成する側部１５を有し、前記管状容器の外部からの光を遮断する管状容器１１と、管状容器１１内に収容されており、隣り合う複数の成型培地１４に接し、且つ、当該複数の成型培地１４に接した状態で水の授受が可能な状態で水を保持する帯状部材１８とを備える。そのため、水の授受が可能な状態で成型培地１４の間に隙間Ｇが形成されるとともに、その隙間Ｇに影が形成される。【選択図】  図２
2013201918.tif 000002
【特許請求の範囲】
【請求項１】
構造物に取り付けられた状態で植物を育成する緑化装置であって、
前記植物が植え付けられる複数の成型培地と、
前記構造物に水平方向に沿うように取り付けられる管状容器であって、所定間隔で並んだ前記複数の成型培地を下方から支持する支持部と、隣り合う前記複数の成型培地の間の空間を上方から覆い当該空間に影を形成する蓋部と、隣り合う前記複数の成型培地の間の空間を側方から覆い当該空間に影を形成する側部を有し、前記管状容器の外部からの光を遮断する管状容器と、
前記管状容器内に収容されており、前記隣り合う複数の成型培地に接し、且つ、当該複数の成型培地に接した状態で水の授受が可能な状態で水を保持する帯状部材と
を備える、緑化装置。
【請求項２】
前記管状容器の長手方向からの平面視において、前記蓋部は前記成型培地の側面と重なる部分を有し、前記蓋部が前記成型培地の側面に当接する、請求項１に記載の緑化装置。
【請求項３】
前記管状容器に取り付けられ、前記管状容器の長手方向からの平面視において、前記成型培地の側面と重なる部分を有し、前記成型培地の側面に当接する位置規制部を更に備える、請求項１に記載の緑化装置。
【請求項４】
前記蓋部、前記支持部、及び前記側部が一体で構成されている、請求項１〜３の何れか一項に記載の緑化装置。
【請求項５】
前記蓋部と前記支持部とが別体で構成されている、請求項１〜３の何れか一項に記載の緑化装置。
【発明の詳細な説明】
【技術分野】
【０００１】
本発明は、構造物に取り付けられた状態で植物を育成する緑化装置に関する。
【背景技術】
【０００２】
従来より、緑化装置として、構造物に取り付けられた状態で植物を育成する緑化装置が知られている。例えば、特許文献１には、車庫に取り付けられ、車庫の上部空間を植物栽培空間として利用する緑化装置が開示されている。この緑化装置は、栽培槽と養液槽との２槽構造になっており、上槽の栽培槽に植物が植え付けられるとともに、下槽の養液槽に栽培槽に供給される養液が大量に貯えられる。また、特許文献２には、緑化装置として筒状植栽基盤が開示されており、筒状植栽基盤の内部空間には、植物が植え付けられる土壌や肥料によって充たされている。
【先行技術文献】
【特許文献】
【０００３】
【特許文献１】実開平５−８８２５１号公報
【特許文献２】特開２００４−２８３０７６号公報
【発明の概要】
【発明が解決しようとする課題】
【０００４】
しかしながら、上述した特許文献１及び特許文献２に記載の緑化装置では、大量の養液や土壌等を必要とするため、必然的に、装置全体の重量が大きくなってしまう。そのため、緑化装置が設置される構造物に装置重量に耐え得る強度が要求されたり、緑化装置の設置箇所が装置重量に耐え得る箇所に制限されたりすることで、設置の自由度は低いものであった。緑化装置をより軽量化すれば、設置の自由度を向上させることができるが、単に養液や土壌等の量を減少させた場合には、植物の育成に悪影響を及ぼすおそれがある。
【０００５】
そこで本発明は、植物に対して十分な育成環境を保持しつつ、軽量化が図られた緑化装置を提供することを目的とする。
【課題を解決するための手段】
【０００６】
本発明の緑化装置は、構造物に取り付けられた状態で植物を育成する緑化装置であって、植物が植え付けられる複数の成型培地と、構造物に水平方向に沿うように取り付けられる管状容器であって、所定間隔で並んだ複数の成型培地を下方から支持する支持部と、隣り合う複数の成型培地の間の空間を上方から覆い当該空間に影を形成する蓋部と、隣り合う複数の成型培地の間の空間を側方から覆い当該空間に影を形成する側部を有し、管状容器の外部からの光を遮断する管状容器と、管状容器内に収容されており、隣り合う複数の成型培地に接し、且つ、当該複数の成型培地に接した状態で水の授受が可能な状態で水を保持する帯状部材とを備える。
【０００７】
この緑化装置では、成型培地が所定間隔で並んでいるため、複数の成型培地の間の空間の分だけ装置の軽量化が図られる。また、隣り合う成型培地に接するように配置される帯状部材により水が保持されることで、隣り合う成型培地の間で水の授受が行われ、各成型培地の水分を均一にすることができる。更に、この緑化装置では、蓋部により複数の成型培地の間の空間が上方から覆われ、且つ、側部により複数の成型培地の間の空間が側方から覆われて当該空間に影が形成されるため、当該空間を植物の根の成長に適した環境にすることができる。したがって、この緑化装置によれば、十分な育成環境を保持しつつ、軽量化が図られた緑化装置を提供することができる。
【０００８】
また、管状容器の長手方向からの平面視において、蓋部は成型培地の側面と重なる部分を有し、蓋部が成型培地の側面に当接するようにしてもよい。この構成によれば、蓋部が成型培地に対して当接することで、成型培地の管状容器の長手方向への移動が規制される。このため、成型培地を所定の位置で保持することができる。
【０００９】
また、管状容器に取り付けられ、管状容器の長手方向からの平面視において、成型培地の側面と重なる部分を有し、成型培地の側面に当接する位置規制部を更に備えてもよい。この構成によれば、位置規制部が成型培地の側面に対して当接することで、成型培地の支持部の長手方向への移動が規制される。このため、成型培地を所定の位置で保持することができる。
【００１０】
また、蓋部、支持部、及び側部が一体で形成されていてもよい。この場合、例えば、管状容器の上部を切り欠くことで蓋部、支持部、及び側部が形成される。この構成によれば、緑化装置の取扱性や運搬性を向上することができる。
【００１１】
また、蓋部と支持部とが別体で形成されていてもよい。すなわち、蓋部、支持部、及び側部が各々別体で形成されていてもよいし、支持部と側部とが一体で形成され、蓋部が別体で形成されていてもよい。この場合、例えば、樋状の管状容器に蓋部を取り付けることで管状容器が形成される。この構成によれば、必要に応じて個別の部品を交換することができるため、メンテナンス性が向上する。
【００１２】
また、成型培地に対して水を供給する給水装置を更に備えてもよい。この構成によれば、水を必要に応じて成型培地に供給することができる。
【００１３】
また、管状容器には、管状容器内部の水を排出する排水口が設けられていてもよい。この構成によれば、管状容器内部の余剰な水を排出することができる。
【００１４】
また、管状容器には、管状容器内部の水を排出する排水口が設けられ、成型培地に対して水を供給する給水装置と、排水口から排出された水を給水装置に供給する循環装置を更に備えてもよい。この構成によれば、排水口から排出された水を給水装置において再利用することができるので、効率よく水を利用することができる。
【発明の効果】
【００１５】
本発明によれば、植物に対して十分な育成環境を保持しつつ、緑化装置の軽量化を図ることができる。
【図面の簡単な説明】
【００１６】
【図１】本発明の第１実施形態に係る緑化装置が設置された車庫を示す図である。
【図２】本発明の第１実施形態に係る緑化装置の側面図である。
【図３】図２の緑化装置のＩＩＩ−ＩＩＩ線に沿った断面図である。
【図４】本発明の第２実施形態に係る緑化装置の側面図である。
【図５】図４の緑化装置のＶ−Ｖ線に沿った断面図である。
【図６】本発明の第２実施形態に係る緑化装置の変形例を示す斜視図である。
【図７】本発明の第２実施形態に係る緑化装置の変形例を示す斜視図である。
【図８】本発明の第３実施形態に係る緑化装置の側面図である。
【図９】図８の緑化装置のＩＸ−ＩＸ線に沿った断面図である。
【図１０】本発明の第４実施形態に係る緑化装置の側面図である。
【図１１】図１０の緑化装置のＸＩ−ＸＩ線に沿った断面図である。
【発明を実施するための形態】
【００１７】
（第１実施形態）
以下、本発明の第１実施形態について、図面を参照して詳細に説明する。なお、各図において同一又は相当部分には同一符号を付し、重複する説明を省略する。
【００１８】
本実施形態に係る緑化装置１０は、構造物の１つである車庫の屋根を緑化するための装置であり、車庫に取り付けられた状態で植物を育成する装置である。緑化装置１０は、図１に示すように車庫の支柱Ｓの上部に、所定の取り付け具を用いて取り付けられる。緑化装置１０において育成された植物Ｐが、例えば蔓性植物の場合には、図１に示すように支柱Ｓや屋根Ｒを伝って上向きに成長して、屋根Ｒを緑化する。
【００１９】
緑化装置１０は、図１〜図３に示すように成型培地１４を複数備えており、各成型培地１４に植物Ｐが植え付けられる。成型培地１４は、直方体形状（例えば、１００ｍｍ×１００ｍｍ×１００ｍｍ）のロックウール成型体であり、フェノール樹脂を接着剤としてロックウールを成型したものである。ロックウール成型体は、その内部に多くの空隙を含むため、植え付けられた植物Ｐの根の生育をほとんど妨げない。なお、成型培地１４は、根の生育を妨げないものであれば、ロックウール成型体に限定されず、ポリウレタン等の樹脂発泡体や、グラスウール等の無機繊維をフェノール樹脂等の樹脂を接着剤として成型した成型体、有機繊維をニードルパンチで成型した成型体や樹脂を接着剤として成型した成型体であってもよい。
【００２０】
緑化装置１０は、このような成型培地１４を収容する管状容器１１を備えており、管状容器１１は、図１〜図３に示すように水平方向に延在している。なお、説明の便宜上、管状容器１１の軸線方向をＸ方向と、鉛直方向をＺ方向と、Ｘ方向及びＺ方向に垂直な方向をＹ方向とする。
【００２１】
管状容器１１は、断面円形状を成す管状の長尺部材であり、その軸線方向（Ｘ方向）が水平となるように車庫に取り付けられている。管状容器１１は、支持部１２、側部１５、及び蓋部１６を有し、支持部１２、側部１５、及び蓋部１６によって一体的に構成されている。例えば、支持部１２、側部１５、及び蓋部１６を有する管状容器１１は、管状容器１１の上部を切り欠くことで形成される。この切り欠きの大きさは成型培地１４が入り込む大きさである。一例として、管状容器１１は、その寸法が直径１５０ｍｍ、長さ２メートルであり、塩化ビニルパイプで構成されている。管状容器１１としては、外光を遮断する任意の材料を使用することができる。なお、塩化ビニルパイプに代えて、銅管、鉄管、鉛管、ステンレス管等の金属管、ポリエチレン管等の合成樹脂管等を使用することができる。塩化ビニルパイプは軽量で取り扱いが容易であるため、管状容器１１の素材として好ましい。
【００２２】
管状容器１１の支持部１２は、図２に示すように、円筒の一部の曲面部分を軸線方向に沿って一様に切り欠いた断面Ｕ字状の長尺部分であり、管状容器１１の下部を構成している。この支持部１２の内側において、３つの成型培地１４が管状容器１１の軸線方向（Ｘ方向）に沿って所定間隔で並んで配置されており、３つの成型培地１４は支持部１２により下方から支持している。これらの３つの成型培地１４により、隣り合う２つの成型培地１４の間には、成型培地１４の側面のうち、Ｘ方向に直交する側面１４Ｂによって隙間Ｇが画成されている。なお、成型培地１４の間隔（すなわち、隙間ＧのＸ方向長さ）は、求められる植物Ｐの密度設計に合わせて設計することが好ましく、それは植物Ｐの種類や生育環境に依存する。
【００２３】
例えば、図１に示す車庫の間口が２．５ｍ、奥行きが５ｍであり、植物Ｐとしてヘデラを植え付ける場合には、隙間ＧのＸ方向長さを１００ｍｍとする。このように設計することで、春に植え付けたヘデラが翌年夏には車庫の屋根Ｒの略全体を覆い、適切な日射遮蔽効果を得ることができる。また、同様の条件で、植物Ｐとしてトケイソウ、ノウゼンカズラを植え付ける場合には、隙間ＧのＸ方向長さをそれぞれ３００ｍｍ、２００ｍｍとすることで、適切な日射遮蔽効果を得ることができる。
【００２４】
側部１５は、管状容器１１の長さ方向全体を側方（Ｙ軸方向）から覆う部分である。側部１５は、成型培地１４と隙間Ｇを側方から覆うように設けられている。
【００２５】
管状容器１１の蓋部１６は、支持部１２及び側部１５とで断面円形を成すような湾曲板状の部分である。蓋部１６は、成型培地１４によって形成された２つの隙間Ｇにそれぞれ対応する位置に、隙間Ｇを上方から覆うように設けられている。すなわち、蓋部１６と成型培地１４とがＸ方向に沿って交互に並んでおり、蓋部１６と成型培地１４とはＸ方向において接している。なお、３つの成型培地１４より外側の空間ｇは、蓋部１６と同様の形状を有する外側蓋部１７によって覆われている。
【００２６】
上述した蓋部１６および外側蓋部１７により、管状容器１１の上部には、成型培地１４を収容するための収容開口Ｃが画成されている。収容開口Ｃの開口形状は、管状容器１１の内部への外光の入射を遮るために、成型培地１４のＸ−Ｙ断面形状と略同一であり、本実施形態のように直方体形状の成型培地を用いる場合には、収容開口Ｃの開口形状は四角形状となる。また、管状容器１１の断面形状、開口形状Ｃの形状、及び隙間Ｇの位置関係を調整して少なくとも隙間Ｇにある帯状部材１８の上部が暗所になるように設計することが好ましい。
【００２７】
蓋部１６は、図３に示すように、Ｘ方向からの平面視において、成型培地１４の側面１４Ｂと重なる部分を有し、蓋部１６が成型培地１４の側面１４Ｂに当接している。このため、成型培地１４は、蓋部１６によってＸ方向に関する変位が規制されて、収容開口Ｃの位置で保持されるので、風等により成型培地１４が動く事態を抑制することができる。
【００２８】
管状容器１１には、さらに、Ｘ方向に沿って管状容器１１の全長に亘って延びる帯状部材１８が収容されている。帯状部材１８は、３つの成型培地１４全てに接するように成型培地１４と支持部１２との間に介在している。より具体的には、図３に示すように、帯状部材１８は、成型培地１４と管状容器１１の底面との間の空間において、成型培地１４の底面に接している。帯状部材１８は、毛管現象によって水を保持することができ、かつ、その隙間に植物Ｐの根が入り込めるような材料で構成され、このような材料として、たとえばポリエステル不織布を採用することができる。帯状部材１８は、より具体的には、１２０ｍｍ幅のポリエステル不織布（例えば、２００ｇ／ｍ２）を三つ折りにしたものが用いられる。なお、ポリエステル不織布以外にも、ポリウレタン等の樹脂発泡体、ロックウール等の無機繊維成型体、有機、無機繊維の織物、編物、不織布等や、これらを貼り合わせたり、積層したりして組み合わせたものを用いることができる。なお、本明細書における「水」とは、純水や水道水、農業用水に限らず、例えば、植物の育成に利用される液体肥料等が含まれるものとする。
【００２９】
図２に示すように、管状容器１１に収容された成型培地１４の上方には給水装置２０が設けられている。本実施形態においては、給水装置２０は、管状容器１１に収容された３つの成型培地１４のうち、１つの成型培地１４にのみ給水しているが、複数の成型培地１４に給水してもよい。また、給水装置１４は、常時給水してもよいし、必要なときにだけ給水するようにしてもよい。
【００３０】
管状容器１１の両端の開口部には、開口部をそれぞれ閉蓋する一対のキャップ２１が設けられている。一対のキャップ２１により、管状容器１１の開口部が封じられ、開口部からの外光の入射が遮られる。一対のキャップ２１のうち、一端側（図２の右端側）に取り付けられたキャップ２１には、排水口２２が設けられている。排水口２２は、管状容器１１の内部に、許容量を超えた水があるときに、その余分な水を排出する。なお、排水口２２からの排水は、導管Ｌを介して、ポンプ（循環装置）２４により給水装置２０に送られて、給水に再利用される。
【００３１】
続いて、上述した緑化装置１０における植物Ｐの生育について説明する。
【００３２】
一般的に、植物の根は水分が存在する暗所において活発に成長し、根の生育の観点からは光が照射される環境は好ましくない。そのため、成型培地１４間の隙間Ｇに外光が入射してしまうと、植物Ｐの根は、光が入射しない成型培地１４内に留まり、隙間Ｇの空間にはほとんど伸びていかない。そこで、緑化装置１０では、蓋部１６により隙間Ｇを上方から覆い、且つ、側部１５により隙間Ｇを側方から覆って隙間Ｇへの外光の入射を遮ることで、隙間Ｇに影を形成している。また、緑化装置１０では、支持部１２、側部１５及び蓋部１６により隙間Ｇの湿度の保持も可能となる。それにより、暗所となった隙間Ｇにおいて、植物Ｐの根が活発に成長することなる。
【００３３】
また、緑化装置１０においては、管状容器１１内に収容された帯状部材１８が、毛管現象によって水を保持している。帯状部材１８は、３つの成型培地１４に接しているため、帯状部材１８によって保持される水は、３つの成型培地１４において互いに授受され、それにより、３つの成型培地１４において保持される水の量が均一に保たれる。
【００３４】
また、本実施形態のように、給水装置２０から１つの成型培地１４にのみ水が供給される場合には、その成型培地１４に供給された水は、その一部が帯状部材１８を介して、他の成型培地１４にも供給される。すなわち、給水が一部の成型培地１４に偏った状況下では、帯状部材１８は、その他の成型培地１４に水を供給する。また、帯状部材１８を隙間Ｇにも敷設することで、隙間Ｇに十分な水分が存在することとなり、植物Ｐの根が活発に成長し、管状容器１１が培地で完全に充たされた場合と同様の育成スピードと寿命を実現することができる。なお、帯状部材１８は、成型培地１４との接触面積が大きくなるように設置されることが好ましい。接触面積が大きいほど植物の成長が良くなるためである。
【００３５】
以上説明したように、本実施形態に係る緑化装置１０では、成型培地１４が所定間隔で並んでいるため、隙間Ｇの分だけ装置の軽量化が図られる。また、これら３つの成型培地１４に接するように配置される帯状部材１８により、３つの成型培地１４の間で水の授受が可能な状態で水が保持されることで、３つの成型培地１４の間で水の授受が行われ、各成型培地１４の水分を均一にすることができる。更に、この緑化装置１０では、蓋部１６により隙間Ｇが上方から覆われ、当該隙間Ｇに影が形成されるため、隙間Ｇに伸びる植物の根の生育に適した環境とすることができる。したがって、この緑化装置１０によれば、隙間Ｇを植物Ｐの根が成長する空間として活用できるため、十分な育成環境を保持しつつ、軽量化が図られた緑化装置を提供することができる。また、緑化装置１０は、必ずしも水を循環させる必要がないため構造が簡単であり、構造物に容易に設置することができる。
【００３６】
（第２実施形態）
次に、図４及び図５を参照して本発明の第２実施形態について説明する。本実施形態に係る緑化装置１０Ａは、成型培地１４の高さ寸法が異なる点、及び、位置規制部２６を備える点のみ緑化装置１０と異なり、その他の点は緑化装置１０と同じである。
【００３７】
図５に示すように、緑化装置１０Ａでは、緑化装置１０における成型培地１４よりも成型培地１４の高さが低く、成型培地１４が管状容器１１の内部に完全に収容されている。このため、緑化装置１０Ａでは、Ｘ方向からの平面視において、蓋部１６は成型培地１４の側面１４Ｂと重なる部分がなく、成型培地１４の側面１４Ｂは蓋部１６に当接しない。
【００３８】
緑化装置１０Ａでは、管状容器１１の両側面に、Ｙ方向に関して位置合わせされ、且つ、成型培地１４の上面１４Ａよりも低い位置に、一対の差込み孔２５が設けられており、差込み孔２５には棒状の位置規制部２６が差し込まれている。このため、位置規制部２６は、Ｘ方向からの平面視において、成型培地１４の側面１４Ｂと重なる。なお、図４に示すように、差込み孔２５及び位置規制部２６のセットは、成型培地１４それぞれをＸ方向から挟み込むように複数設けられている。
【００３９】
このような緑化装置１０Ａにおいても、上述した緑化装置１０と同一または同様の効果を奏する。なお、緑化装置１０Ａは、緑化装置１０における蓋部１６の代わりに、位置規制部２６が成型培地１４の側面１４Ｂに当接し、成型培地１４を所定の位置に保持する。なお、位置規制部２６は、成型培地１４の位置固定が不要なときには、適宜差込み孔２５から引き抜いて取り外してもよい。
【００４０】
なお、本実施形態に係る緑化装置１０Ａには、蓋部１６のＸ軸方向の縁の下方に存在する、収容開口Ｃと隙間Ｇとを繋ぐ隙間（以下、「第１隙間」ともいう。）が形成されている。また、緑化装置１０Ａには、側部１５の収容開口Ｃ側の縁部と成型培地１４のＹ軸方向の側面との間に隙間（以下、「第２隙間」ともいう。）が形成されている。したがって、管状容器１１内部には、第１隙間及び第２隙間から外光が入射するおそれがある。
【００４１】
このため、緑化装置１０Ａは、図６に示すように、管状容器１１の上部から収容開口Ｃを全体的に覆う遮光部材３０を備えてもよい。この遮光部材３０には、遮光部材３０が植物Ｐの成育を妨げないように所定箇所に穴が設けられている。遮光部材３０は、日光を遮断する素材であれば任意のものを採用することができるが、例えばポリ塩化ビニル等のマルチングシート、布等を用いることができる。遮光部材３０により収容開口Ｃを全体的に覆うことで、外光の収容開口Ｃへの入射が防止され、それにより、外光が第１隙間及び第２隙間を介して管状容器１１内部に入射することが防止される。
【００４２】
また、緑化装置１０Ａは、図７に示すように、図６の遮光部材３０に代えて、第１隙間及び第２隙間を覆う遮光蓋３２を備えていてもよい。この遮光蓋３２は、第１隙間を覆う一対の半月板３２Ａと第２隙間を覆う一対の平板部３２Ｂとを備えている。図７の例では、半月板部３２Ａと平板部３２Ｂとは一体的に形成されているが、半月板部３２Ａと平板部３２Ｂとは別体として互いに取り付けられていてもよい。遮光蓋３２としては、日光を遮断するものであれば任意の素材を用いることができる。この遮光蓋３２によれば、第１隙間が半月板部３２Ａによって覆われ、第２隙間が平板部３２Ｂによって覆われるので、外光が第１隙間及び第２隙間を介して管状容器１１内部に入射することが防止される。
【００４３】
（第３実施形態）
次に、図８及び図９を参照して本発明の第３実施形態について説明する。本実施形態に係る緑化装置１０Ｂは、成型培地１４の高さ寸法が異なる点、及び、位置規制部２８を備える点のみ緑化装置１０と異なり、その他の点は緑化装置１０と同じである。
【００４４】
図９に示すように、緑化装置１０Ｂでは、上述した緑化装置１０Ａ同様、緑化装置１０における成型培地１４よりも成型培地１４の高さが低く、成型培地１４が管状容器１１の内部に完全に収容されている。このため、緑化装置１０Ｂでは、Ｘ方向からの平面視において、蓋部１６は成型培地１４の側面１４Ｂと重なる部分がなく、成型培地１４の側面１４Ｂは蓋部１６に当接しない。
【００４５】
緑化装置１０Ｂには、蓋部１６の収容開口Ｃ側の縁部分から下垂する平板状の位置規制部２８が設けられている。位置規制部２８は、図８に示すように、成型培地１４をＸ方向から挟み込むように複数設けられている。
【００４６】
このような緑化装置１０Ｂにおいても、上述した緑化装置１０と同一または同様の効果を奏する。なお、緑化装置１０Ｂでは、緑化装置１０における蓋部１６の代わりに、位置規制部２８が成型培地１４の側面１４Ｂに当接し、成型培地１４を所定の位置に保持する。位置規制部２８は、蓋部１６と一体的に形成されてもよく、別体として取り付けられてもよい。蓋部１６と一体的に形成される場合には、蓋部１６の一部を折曲げ成型することで、容易に位置規制部２８を形成することができる。
【００４７】
なお、本実施形態に係る緑化装置１０Ｂにおいても、第１隙間及び第２隙間が形成されている。このため、緑化装置１０Ｂにおいても、図６及び図７で示す遮光部材３０又は遮光蓋３２を用いて、外光が第１隙間及び第２隙間を介して管状容器１１内部に入射することを防止してもよい。
【００４８】
（第４実施形態）
次に、図１０及び図１１を参照して本発明の第４実施形態について説明する。本実施形態に係る緑化装置１０Ｃは、支持部１２と蓋部１６とが別体として構成されている点のみ緑化装置１０と異なり、その他の点は緑化装置１０と同じである。
【００４９】
図１１に示すように、緑化装置１０Ｃにおける支持部１２は、円筒の一部の曲面部分を軸線方向に沿って一様に切り欠いた断面Ｕ字状の長尺部材であり、管状容器１１の下部を構成している。支持部１２と側部１５とは一体的に形成されている。側部１５の上部には、支持部１２及び側部１５とで断面円形を成すような湾曲板状の部材である蓋部１６が、別体として複数取り付けられている。緑化装置１０Ｃにおける支持部１２、側部１５、及び蓋部１６の位置関係は、上述した緑化装置１０における支持部１２、側部１５、及び蓋部１６の位置関係と同じである。なお、支持部１２、側部１５、及び蓋部１６の素材は同一であってもよいし、異なるものであってもよい。また、支持部１２、側部１５、及び蓋部１６の断面形状は同一の曲率を有する湾曲状部分であってもよいし、適宜平板状にしてもよい。更に、本実施形態では、支持部１２及び側部１５が一体で形成され、蓋部１６が別体で構成されているが、支持部１２、側部１５及び蓋部１６の全てが別体で構成されていてもよい。
【００５０】
このような緑化装置１０Ｃにおいても、上述した緑化装置１０と同一または同様の効果を奏する。また、緑化装置１０Ｃにおいては、蓋部１６と支持部１２とが別体で構成されているため、必要に応じて個別の部品を交換することができる等のメンテナンス性に優れるともに、設計の自由度が高くなっている。
【００５１】
なお、本発明は上述した実施形態に限定されず、様々な変形が可能である。
【００５２】
例えば、上述した実施形態では、屋根を緑化する緑化装置についてのみ説明したが、構造物の壁面を緑化することも可能である。この場合、たとえば緑化装置を構造物の支柱の下部に設けて植物を上向きに成長させるようにするか、緑化装置を構造物の支柱の上部に設けて植物を下向きに成長させるようにすればよい。また、構造物としては、車庫に限らず、一般家屋やビル、校舎等の建造物であってもよい。
【００５３】
また、管状容器１１の断面形状は、円形状に限定されず、四角形状、三角形状等の多角形状とすることができる。また、管状容器１１は、伸張等の目的で、適宜複数の管状部材を連結して構成してもよい。
【００５４】
成型培地の形状は、直方体形状に限らず、角柱形状や円柱形状であってもよい。また、成型培地の数は３つに限定されず、適宜増減してもよい。
【００５５】
帯状部材１８は、必ずしも成型培地１４の底面のみに接する必要はなく、例えば、成型培地１４を側面（Ｙ方向に直交する面）から覆うように接するようにしてもよい。また、上記実施形態では、帯状部材１８は、３つの成型培地１４全てに接するように配置されているが、少なくとも隣り合う一対の成型培地１４と接していればよい。しかし、隣接する成型培地１４間での水の授受を行う観点からは、全ての成型培地１４の底面に連続して設置することが好ましい。
【００５６】
上記実施形態では、給水装置２０が一つの成型培地１４に対して設けられているが、全ての成型培地１４に対して設けられていてもよい。全ての成型培地に対して給水装置２０を設けることで植物Ｐの育成のばらつきを減少させることができる。また、給水装置２０を設けずに、雨水によって成型培地１４に水が供給されてもよい。また、給水装置２０から液肥を供給してもよいし、培地に直接固体肥料を与えてもよい。このようにすることで植物Ｐに十分な肥料を供給することができる。
【００５７】
また、上記実施形態では、排水口２２は管状容器１１のキャップ２１に設けられているが、排水口２２が設けられる位置は限定されない。例えば、排水口２２が管状容器１１の支持部１２に設けられていてもよい。排水口２２は、キャップ２１及び支持部１２のいずれに設けられる場合であっても、管状容器１１の下側位置に設けることが好ましい。排水口２２を管状容器１１の上側位置に設けると、管状容器１１内に多量の水が溜まることとなり、その結果、装置の重量が増加するとともに、根腐れの原因となるおそれがある。また、排水口２２にパイプ、ホース、紐、チェーン等を取り付けて、排水を地表又は排水溝に導いてもよい。
【００５８】
更に、管状容器１１は、その長手方向が水平方向に対して所定の角度だけ傾斜するように構造物に取り付けられていてもよい。この傾斜は３％以下の傾斜であり、０．５〜１．０％が好ましい。この場合には、管状容器１１の低い方の端部に水が溜まるため、低い方の端部側に排水口２２を設けることが好ましい。
【符号の説明】
【００５９】
１０，１０Ａ，１０Ｂ，１０Ｃ…緑化装置、１１…管状容器、１２…支持部、１４…成型培地、１５…側部、１６…蓋部、１８…帯状部材、２０…給水装置、２１…キャップ、２２…排水口、２４…ポンプ、２６，２８…位置規制部、Ｇ…隙間、Ｐ…植物。
【図１】
2013201918.tif 000003
【図２】
2013201918.tif 000004
【図３】
2013201918.tif 000005
【図４】
2013201918.tif 000006
【図５】
2013201918.tif 000007
【図６】
2013201918.tif 000008
【図７】
2013201918.tif 000009
【図８】
2013201918.tif 000010
【図９】
2013201918.tif 000011
【図１０】
2013201918.tif 000012
【図１１】
2013201918.tif 000013